(57)【要約】      （修正有）【課題】例えば、惣菜類等の加工食料品、あるいは、苺等の果物やショートケーキ、ロールケーキ等の洋菓子などの内容物に損傷を与えてしまうことを防止することが可能な収容容器を提供する。【解決手段】収容容器１は、上端が開口した容器本体２と、容器本体２に第１折曲げ部３を介して一体的に連結され、容器本体２の上端開口部を閉蓋する第１蓋体５と、同じく容器本体２に第２折曲げ部４を介して一体的に連結され、容器本体２の上端開口部を閉蓋した後の第１蓋体５の上に被せられる第２蓋体６と、を備えている。【選択図】図１
0003199227.tif 000002
【実用新案登録請求の範囲】
【請求項１】
上端が開口した容器本体と、
前記容器本体に第１折曲げ部を介して一体的に連結され、前記容器本体の上端開口部を閉蓋する第１蓋体と、
同じく前記容器本体に第２折曲げ部を介して一体的に連結され、前記容器本体の前記上端開口部を閉蓋した後の前記第１蓋体の上に被せられる第２蓋体と、を備えたことを特徴とする収容容器。
【請求項２】
前記容器本体の形状が略扁平直方体状であり、かつ、
前記容器本体の上端開口縁の対向する二辺にそれぞれ前記第１及び第２折曲げ部を介して前記第１及び第２蓋体が一体的に連結されている、請求項１に記載の収容容器。
【請求項３】
材質がプラスチック又は紙である、請求項１又は２に記載の収容容器。
【考案の詳細な説明】
【技術分野】
【０００１】
本考案は、例えば、惣菜類等の加工食料品、あるいは、苺等の果物やショートケーキ、ロールケーキ等の洋菓子を収容するために用いられる収容容器に関する。
【背景技術】
【０００２】
従来、この種の収容容器としては、容器本体と蓋体とが一体的に成形された容器（フードパック）が提案され多用されている（例えば、特許文献１参照）。
【先行技術文献】
【特許文献】
【０００３】
【特許文献１】特開平１０−２６４９５２号公報
【考案の概要】
【考案が解決しようとする課題】
【０００４】
しかし、特許文献１等に開示されている収容容器においては、蓋体が１つしか設けられていないため、惣菜類等の加工食料品が収容された後の収容容器の上面の強度はそれほど高いものとはなっていない。従って、収容容器を複数個積み重ねた場合に、下の方の収容容器の上面が潰れて当該収容容器内に収容されている惣菜類等の加工食料品に損傷を与えてしまうおそれがある。収容容器内の内容物が「損傷を受けやすい苺等の果物やショートケーキ、ロールケーキ等の洋菓子」である場合には尚更である。さらに、惣菜類等の加工食料品、あるいは、苺等の果物やショートケーキ、ロールケーキ等の洋菓子が収容された収容容器を、他の商品等と一緒に買い物袋の中に入れた場合も、同様である。
【０００５】
本考案は、従来技術における前記課題を解決するためになされたものであり、例えば、惣菜類等の加工食料品、あるいは、苺等の果物やショートケーキ、ロールケーキ等の洋菓子などの内容物に損傷を与えてしまうことを防止することが可能な収容容器を提供することを目的とする。
【課題を解決するための手段】
【０００６】
前記目的を達成するため、本考案に係る収容容器の構成は、
（１）上端が開口した容器本体と、前記容器本体に第１折曲げ部を介して一体的に連結され、前記容器本体の上端開口部を閉蓋する第１蓋体と、同じく前記容器本体に第２折曲げ部を介して一体的に連結され、前記容器本体の前記上端開口部を閉蓋した後の前記第１蓋体の上に被せられる第２蓋体と、を備えたことを特徴とする。
【０００７】
本考案の収容容器は、例えば、惣菜類等の加工食料品、あるいは、苺等の果物やショートケーキ、ロールケーキ等の洋菓子を収容するために用いられる。
【０００８】
本考案の収容容器の上記（１）の構成によれば、惣菜類等の加工食料品が入れられた容器本体の上端開口部が二重の蓋体（第１及び第２蓋体）によって閉蓋されることとなるので、惣菜類等の加工食料品が収容された後の収容容器の上面の強度を高めることが可能となる。従って、惣菜類等の加工食料品が収容された収容容器を複数個積み重ねても、下の方の収容容器の上面が簡単に潰れてしまうことはない。その結果、収容容器内に収容されている惣菜類等の加工食料品に損傷を与えてしまうことを防止することができる。収容容器内の内容物が「損傷を受けやすい苺等の果物やショートケーキ、ロールケーキ等の洋菓子」である場合には、得られる効果は特に顕著である。さらに、惣菜類等の加工食料品、あるいは、苺等の果物やショートケーキ、ロールケーキ等の洋菓子が収容された収容容器を、他の商品等と一緒に買い物袋の中に入れた場合も、同様である。
【０００９】
本考案の収容容器の上記（１）の構成においては、以下の（２）、（３）のような構成にすることが好ましい。
【００１０】
（２）前記容器本体の形状が略扁平直方体状であり、かつ、前記容器本体の上端開口縁の対向する二辺にそれぞれ前記第１及び第２折曲げ部を介して前記第１及び第２蓋体が一体的に連結されている。
【００１１】
（３）材質がプラスチック又は紙である。
【００１２】
上記（３）の好ましい構成のうち、特に、材質がＯＰＳ（二軸延伸ポリスチレン）、ＨＩＰＳ（ハイ・インパクトポリスチレン）、ＰＳＰ（発泡ポリスチレン）、Ａ−ＰＥＴ（アモルファス・ポリエチレンテレフタレート）、ＰＰ（ポリプロピレン）、ＯＰＰ（二軸延伸ポリプロピレン）、ＰＥ（ポリエチレン）等のプラスチックであるという好ましい構成によれば、惣菜類等の加工食料品、あるいは、苺等の果物やショートケーキ、ロールケーキ等の洋菓子などの、人の口に入る物を収容するために用いるのに好適な収容容器を提供することができる。
【考案の効果】
【００１３】
本考案によれば、例えば、惣菜類等の加工食料品、あるいは、苺等の果物やショートケーキ、ロールケーキ等の洋菓子が収容された当該収容容器を複数個積み重ねても、下の方の当該収容容器の上面が簡単に潰れてしまうことはなく、また、惣菜類等の加工食料品、あるいは、苺等の果物やショートケーキ、ロールケーキ等の洋菓子が収容された当該収容容器を、他の商品等と一緒に買い物袋の中に入れても、当該収容容器の上面が簡単に潰れてしまうことのない収容容器を提供することができる。従って、本考案の収容容器を用いれば、内容物に損傷を与えてしまうことを防止することができる。
【図面の簡単な説明】
【００１４】
【図１】図１は、本考案の一実施の形態における収容容器の、第１及び第２蓋体を開いた状態の構成を示す斜視図である。
【図２】図２は、本考案の一実施の形態における収容容器の、第１及び第２蓋体を開いた状態の構成を示す正面端面図である。
【図３】図３は、本考案の一実施の形態における収容容器の、第１蓋体を閉じ第２蓋体を開いた状態の構成を示す斜視図である。
【図４】図４は、本考案の一実施の形態における収容容器の、第１及び第２蓋体を閉じた状態の構成を示す斜視図である。
【図５】図５は、本考案の一実施の形態における収容容器を複数個積み重ねた状態を示す斜視図である。
【考案を実施するための形態】
【００１５】
以下、好適な実施の形態を用いて本考案をさらに具体的に説明する。但し、下記の実施の形態は本考案を具現化した例に過ぎず、本考案はこれに限定されるものではない。
【００１６】
［収容容器の構成］
まず、本考案の一実施の形態における収容容器の構成について、図１，図２を参照しながら説明する。
【００１７】
図１は、本考案の一実施の形態における収容容器の、第１及び第２蓋体を開いた状態の構成を示す斜視図、図２は、当該収容容器の、第１及び第２蓋体を開いた状態の構成を示す正面端面図である。
【００１８】
図１，図２に示すように、本実施の形態における収容容器１は、上端が開口した容器本体２と、容器本体２に第１折曲げ部３を介して一体的に連結され、容器本体２の上端開口部を閉蓋する第１蓋体５（図２の矢印Ａ、図３参照）と、同じく容器本体２に第２折曲げ部４を介して一体的に連結され、容器本体２の上端開口部を閉蓋した後の第１蓋体５の上に被せられる第２蓋体６（図３の矢印Ｃ、図４参照）と、を備えている。
【００１９】
より具体的には、容器本体２の形状は略扁平直方体状であり、かつ、容器本体２の上端開口縁の対向する二辺にそれぞれ第１及び第２折曲げ部３，４を介して回動可能に第１及び第２蓋体５，６が一体的に連結されている（図２の矢印Ａ，Ｂ参照）。また、容器本体２の上端開口縁にはフランジ２ａが一体的に形成され、第１及び第２蓋体５，６にも、それぞれ、その周縁にフランジ５ａ，６ａが一体的に形成されている。そして、容器本体２のフランジ２ａと第１蓋体５のフランジ５ａは、第１折曲げ部３を介して一体的に連結され、容器本体２のフランジ２ａと第２蓋体６のフランジ６ａは、第２折曲げ部４を介して一体的に連結されている。
【００２０】
本実施の形態の収容容器１の材質はプラスチックであり、この場合のプラスチックとしては、例えば、ＯＰＳ（二軸延伸ポリスチレン）、ＨＩＰＳ（ハイ・インパクトポリスチレン）、ＰＳＰ（発泡ポリスチレン）、Ａ−ＰＥＴ（アモルファス・ポリエチレンテレフタレート）、ＰＰ（ポリプロピレン）、ＯＰＰ（二軸延伸ポリプロピレン）、ＰＥ（ポリエチレン）等を用いることができる。
これら例示した材質からなる収容容器１は、惣菜類等の加工食料品、あるいは、苺等の果物やショートケーキ、ロールケーキ等の洋菓子などの、人の口に入る物を収容するために用いられる収容容器として好適である。
【００２１】
［収容容器の使用方法］
次に、本考案の一実施の形態における収容容器の使用方法について、図３，図４をも参照しながら説明する。
【００２２】
図３は、本考案の一実施の形態における収容容器の、第１蓋体を閉じ第２蓋体を開いた状態の構成を示す斜視図、図４は、当該収容容器の、第１及び第２蓋体を閉じた状態の構成を示す斜視図である。
【００２３】
まず、図２に示すように、収容容器１の容器本体２の中に惣菜類等の加工食料品７を入れる。
次いで、第１蓋体５を、第１折曲げ部３を中心に回動させて（図２の矢印Ａ参照）、図３に示すように、第１蓋体５のフランジ５ａを容器本体２のフランジ２ａに当接させる。これにより、容器本体２の上端開口部が第１蓋体５によって閉蓋され、加工食料品７が容器本体２内に収容される。
次いで、同様にして、第２蓋体６を、第２折曲げ部４を中心に回動させて（図３の矢印Ｃ参照）、図４に示すように、第２蓋体６のフランジ６ａを第１蓋体５のフランジ５ａに当接させる。これにより、容器本体２の上端開口部を閉蓋した後の第１蓋体５の上に第２蓋体６が被せられ、惣菜類等の加工食料品７が入れられた容器本体２の上端開口部が二重の蓋体（第１及び第２蓋体５，６）によって閉蓋された状態となる。
以上のようにして、容器本体２の中に惣菜類等の加工食料品７を入れ、容器本体２の上端開口部を第１蓋体５によって閉蓋し、容器本体２の上端開口部を閉蓋した後の第１蓋体５の上に第２蓋体６を被せた後、収容容器１に輪ゴム（図示せず）を掛ける。
【００２４】
［収容容器による作用効果］
次に、本考案の一実施の形態における収容容器による作用効果について、図５をも参照しながら説明する。
【００２５】
図５は、本考案の一実施の形態における収容容器を複数個積み重ねた状態を示す斜視図である。
【００２６】
上記のようにして惣菜類等の加工食料品７が収容された収容容器１は、スーパーマーケット等においては、複数個積み重ねた状態で配置されるのが通常である（図５参照）。また、買い物客は、上記のようにして惣菜類等の加工食料品７が収容された収容容器１を、他の商品等と一緒に買い物袋の中に入れるのが通常である。
しかし、従来の収容容器においては、蓋体が１つしか設けられていないため、惣菜類等の加工食料品が収容された後の収容容器の上面の強度はそれほど高いものとはなっていない。
従って、収容容器を複数個積み重ねた場合に、下の方の収容容器の上面が潰れて当該収容容器内に収容されている惣菜類等の加工食料品に損傷を与えてしまうおそれがある。収容容器内の内容物が「損傷を受けやすい苺等の果物やショートケーキ、ロールケーキ等の洋菓子」である場合には尚更である。また、惣菜類等の加工食料品、あるいは、苺等の果物やショートケーキ、ロールケーキ等の洋菓子が収容された収容容器を、他の商品等と一緒に買い物袋の中に入れた場合も、同様である。
【００２７】
これに対し、本実施の形態の収容容器１の構成によれば、惣菜類等の加工食料品７が入れられた容器本体２の上端開口部が二重の蓋体（第１及び第２蓋体５，６）によって閉蓋されることとなるので、惣菜類等の加工食料品７が収容された後の収容容器１の上面の強度を高めることが可能となる。
従って、図５に示すように惣菜類等の加工食料品７が収容された収容容器１を複数個積み重ねても、下の方の収容容器１の上面が簡単に潰れてしまうことはない。その結果、収容容器１内に収容されている惣菜類等の加工食料品７に損傷を与えてしまうことを防止することができる。収容容器１内の内容物が「損傷を受けやすい苺等の果物やショートケーキ、ロールケーキ等の洋菓子」である場合には、得られる効果は特に顕著である。また、惣菜類等の加工食料品７、あるいは、苺等の果物やショートケーキ、ロールケーキ等の洋菓子が収容された収容容器１を、他の商品等と一緒に買い物袋の中に入れた場合も、同様である。
【００２８】
尚、上記実施の形態においては、略扁平直方体状の容器本体２を備える場合を例に挙げて説明したが、本考案は必ずしもこのような構成に限定されるものではない。本考案の収容容器における容器本体はいかなる形状のものであってもよい。例えば、扁平楕円柱状のものであっても立方体状のものであってもよい。但し、第１及び第２蓋体の形状は、容器本体の上端開口部の形状に合わせて変更する必要がある。
【００２９】
また、上記実施の形態においては、上端開口縁にフランジ２ａが形成された容器本体２と、周縁にそれぞれフランジ５ａ，６ａが形成された第１及び第２蓋体５，６と、を備える場合を例に挙げて説明したが、本考案は必ずしもこのような構成に限定されるものではない。本考案の収容容器は、上端が開口した容器本体と、前記容器本体に第１折曲げ部を介して一体的に連結され、前記容器本体の上端開口部を閉蓋する第１蓋体と、同じく前記容器本体に第２折曲げ部を介して一体的に連結され、前記容器本体の前記上端開口部を閉蓋した後の前記第１蓋体の上に被せられる第２蓋体と、を備える構成のものであれば、必ずしもフランジ２ａ，５ａ，６ａが形成されている必要はない。
【００３０】
また、上記実施の形態においては、材質がプラスチックである収容容器１を例に挙げて説明したが、本考案は必ずしもこのような構成に限定されるものではない。本考案の収容容器の材質は、例えば、紙であってもよい。材質が紙からなる収容容器は、例えば、ショートケーキ、ロールケーキなどの洋菓子等を収容するのに好適である。
【００３１】
また、上記実施の形態においては、容器本体２の中に惣菜類等の加工食料品７を入れ、容器本体２の上端開口部を第１蓋体５によって閉蓋し、容器本体２の上端開口部を閉蓋した後の第１蓋体５の上に第２蓋体６を被せた後、収容容器１に輪ゴムを掛けるようにしているが、必ずしもこのような固定方法に限定されるものではない。例えば、セロファンテープによって固定してもよく、ステープラなどの止め具を用いて固定してもよい。
【００３２】
また、上記実施の形態においては、１つの容器本体２に第１及び第２蓋体５，６が一体的に連結された収容容器１を例に挙げて説明したが、１つの容器本体に１つの蓋体が一体的に連結された収容容器を２個組み合わせて使用してもよい。
【符号の説明】
【００３３】
１  収容容器
２  容器本体
２ａ，５ａ，６ａ  フランジ
３  第１折曲げ部
４  第２折曲げ部
５  第１蓋体
６  第２蓋体
７  惣菜類等の加工食料品
【図１】
0003199227.tif 000003
【図２】
0003199227.tif 000004
【図３】
0003199227.tif 000005
【図４】
0003199227.tif 000006
【図５】
0003199227.tif 000007